(57)【特許請求の範囲】
【請求項１】
芯部材に上下方向へ回動可能に基端を結合されて前記芯部材から放射状に延びる複数の支持腕と、支持腕の先端間に上端開口の周縁が取着された袋体と、芯部材に設けられて支持腕を回動操作する操作手段と、芯部材に設けられた吊り部材とを具備し、前記芯部材を、起立する外筒で構成してその下端外周に前記各支持腕の基端を結合するとともに、前記外筒の筒壁には上下方向へ延びる切欠きを形成し、前記外筒外へ進出させることなく上下方向へ移動可能に前記外筒内に内筒を配設するとともに、前記内筒の外周から径方向へ係止体を突出させてこれを前記切欠きを経て前記外筒外へ通過させ、かつ前記操作手段を、前記係止体に前記各支持腕を連結する湾曲変形可能な連結部材と、前記内筒を上下方向へ移動させる駆動機構とで構成し、前記内筒が前記外筒内の所定位置にある時に前記支持腕が水平姿勢に保持されるとともに、前記外筒内での前記内筒の下方移動に伴って前記支持腕が下方へ回動するようになした破砕物収容具。
【発明の詳細な説明】
【０００１】
【発明の属する技術分野】
本発明はマンホール開口部の補修作業で生じるコンクリート等の破砕物を収容する破砕物収容具に関する。
【０００２】
【従来の技術】
マンホール開口部を補修する際等には作業に伴って破砕物が生じ、これがマンホール内に落下すると、マンホール内のケーブル等を損傷するおそれがあるとともに、落下した破砕物の搬出にも難渋する。そこで、例えば特開平９−６００１８号には、中心の支持台から放射状に展開可能な複数の支持腕によって上方へ開放する袋体を支持するようにした破砕物収容具が開示されている。この収容具はクレーン車のフックに吊り下げられ、支持腕を上方へ回動させ袋体をすぼめた状態でマンホール内へ挿入された後、支持腕を展開して袋体を拡げ、その開口をマンホール開口部に当てて、落下する破砕物を袋体内に収容するようにしたものである。
【０００３】
【発明が解決しようとする課題】
ところで、上記従来の破砕物収容具では、破砕物を収容した袋体を、マンホール開口部を経て上方へ吊り上げ取り出す際に、支持腕を上方へ回動させて袋体をすぼめるようにしているため、袋体がすぼまる際にこの中に収納された破砕物の位置が上がって支持台と干渉するおそれがある。このために、袋体の容積が有効に利用できず、収容できる破砕物の量が限られるという問題があった。特に、上記従来の収容具では、支持腕を上方へ回動させるのに、下端に上記支持台を設けた内筒を外筒内から下方へ進出させる構造となっているため、相対的に下降する支持台と破砕物とが干渉し易く、収容破砕物の量がさらに限られてしまう。
【０００４】
そこで本発明はこのような課題を解決するもので、袋体の容積を有効に利用して十分な破砕物を収容できる破砕物収容具を提供することを目的とする。
【０００５】
【課題を解決するための手段】
上記目的を達成するために、本発明では、芯部材（２）に上下方向へ回動可能に基端（４１）を結合されて芯部材（２）から略水平放射状に延びる複数の支持腕（４）と、支持腕（４）の先端（４３）間に上端開口の周縁（８１）が取着され、下端（８３）が開放可能とされた袋体（８）と、芯部材（２）に設けられて支持腕（４）を回動操作する操作手段（６，７１〜７７）と、芯部材（２）に設けられた吊り部材（７８）とを具備し、上記芯部材を、起立する外筒（２）で構成してその下端外周に各支持腕（４）の基端（４１）を結合するとともに、外筒（２）の筒壁には上下方向へ延びる切欠き（２１）を形成し、外筒（２）外へ進出させることなく上下方向へ移動可能に外筒（２）内に内筒（５）を配設するとともに、内筒（５）の外周から径方向へ係止体（５１）を突出させてこれを切欠き（２１）を経て外筒（２）外へ通過させ、かつ上記操作手段を、係止体（５１）に各支持腕（４）を連結する湾曲変形可能な連結部材（６）と、内筒（５）を上下方向へ移動させる駆動機構（７１〜７７）とで構成し、内筒（５）が外筒（２）内の所定位置にある時に支持腕（４）が水平姿勢に保持されるとともに、外筒（２）内での内筒（５）の下方移動に伴って支持腕（４）が下方へ回動するようにする。なお、袋体はその下端を開放可能とすると好適である。
【０００６】
本発明においては、クレーン車のフック等に吊り部材を結合して芯部材を支持させ、支持腕を略水平姿勢から下方へ回動させるとこれに伴って袋体の上端開口および袋体全体がすぼむ。この状態でマンホールの開口部を経てマンホール内に収容具を降ろし、再び支持腕を上方へ回動させ略水平姿勢にすると、袋体の上端開口および袋体全体が拡げられる。この状態で収容具を上昇させて袋体の上端開口をマンホールの開口部を覆うようにこれに近接させて、開口部の補修作業で生じる破砕物を袋体内へ収容する。この後、支持腕を再び下方へ回動させると袋体の上端開口および袋体全体がすぼむが、袋体はすぼまりつつ全体として下降するからその内部に収納された破砕物の位置は低くなり、袋体の容積の大部分に破砕物が収納されていても、破砕物が芯部材に干渉するおそれはない。したがって、袋体の容積を有効に使用して十分な量の破砕物を収容することができる。破砕物を収容してすぼめた袋体は開口部を通してマンホール外へ上昇させられ、クレーン車の荷台等の上へ移送される。ここで、内筒の上下移動が外筒内でのみ行われ、外筒外の下方へ進出することはないから、袋体内の破砕物に、下方へ移動する内筒が干渉することは避けられ、袋体の容積をより有効に利用して十分な量の破砕物を収容することができる。この場合、連結部材を湾曲変形可能なもので構成すると、連結部材を湾曲させつつ、支持腕を外筒に沿う上方位置へ回動させることができるから、収容具をコンパクトに収納することが可能となる。なお、袋体の下端を開放可能とすれば、袋体内の破砕物を荷台等の上へ容易に排出させることができる。
【０００９】
なお、上記カッコ内の符号は、後述する実施形態に記載の具体的手段との対応関係を示すものである。
【００１０】
【発明の実施の形態】
図１に破砕物収容具の全体垂直断面図を示し、図２には図１のII−II線に沿った水平断面図を示す。収容具１は上下方向へ延びる外筒２を備えており、外筒２の下端外周には支持体３が固定されている。支持体３は円筒状の基部３１（図２）を備えており、その外周面には放射状に複数（本実施形態では８つ）の支持板３２が突設されている。各支持板３２には支持腕４の基端４１が垂直面内で回動可能に連結されている。支持腕４は長尺の板体で、その中間部上面にはワイヤ係止片４２（図１）が突設されるとともに、先端４３にはワイヤ通し穴４３１が設けられている。これら支持腕４は展開状態では図１に示すように水平姿勢となっており、各支持腕４のワイヤ通し穴４３１は同一円周上に位置している。
【００１１】
外筒２内には上下に摺動可能に内筒５が配設されており、内筒５の下端開口部にはワイヤ係止体５１が固定されている。ワイヤ係止体５１は円形リング状のフランジ板５１１と、フランジ板５１１を径方向に横断してその下面に接合された逆台形状のガイド板５１２を備えている。フランジ板５１１は外筒２の周囲に位置するとともに、その板面には周方向の複数位置に各支持腕４に対応させてワイヤ係止穴５１３が設けられている。ガイド板５１２は内筒５の筒壁下端の、径方向対称位置に形成された溝状の切欠き５２内に嵌装されてこれに溶接されている。外筒２の筒壁の径方向対称位置には、図１に示す上方位置にあるワイヤ係止体５１よりもやや高い位置から外筒２の下端へ延びる溝状の切欠き２１（図２）が形成されて、上記ガイド板５１２の両端がこれら切欠き２１内を外方へ通過している。このガイド板５１２により、内筒５は自転が規制されている。ワイヤ係止体５１のワイヤ係止穴５１３と各支持腕４のワイヤ係止片４２に設けられたワイヤ係止穴４２１との間にそれぞれワイヤ６が張設されて、支持腕４が図１に示す水平姿勢に保持されている。
【００１２】
内筒５の上端開口にはトラベルナット５３が嵌着してあり、当該トラベルナット５３を上下方向へ貫通してボールネジ７１が配設されている。ボールネジ７１は外筒２の上端に設けられたギヤボックス７２内へ延びており、ボールネジ７１の上端には小径の傘歯車７３が設けてある。傘歯車７３には垂直面内で回転する大径の傘歯車７４が噛合しており、傘歯車７４の水平回転軸７４１はギヤボックス７２外に突出している。回転軸７４１の突出端には円形歯車７５が設けられ、円形歯車７５は回転操作ハンドル７６の回転軸７６１に設けられた円形歯車７７に噛合している。ギヤボックス７２の頂面上には逆Ｕ字形に湾曲する吊り金具７８が設けられている。
【００１３】
支持腕４には上方へ開放する袋体８が支持されている。袋体８は補強布を略円筒状に成形してその下端開口を後述する構造で絞り閉鎖したものである。袋体８の、緩やかに下り傾斜する一定幅の開口周縁８１には内外方向の中間位置に逆Ｕ字形の吊り帯８２が設けられて、各吊り帯８２が支持腕４に通されている。袋体８の最外周部は、各支持腕４先端のワイヤ通し穴４３１を連ねるようにリング状に通されたワイヤ（図示略）に止着されている。袋体８の内周部８２は開口周縁８１から段付きに深くなり、下端開口部８３は以下に述べるように絞り閉鎖されている。
【００１４】
袋体８を構成する円筒状の補強布の下端開口縁全周に、絞り紐を通すための折り返しが形成されており、この折り返し内に図３に示すような絞り紐８４が通されている。絞り紐８４は上記折り返し内にリング状に通された後、その両端８４１，８４２が止め具８５内に通されている。絞り紐８４の両端８４１，８４２は止め具８５を通過した後に互いに結ばれている。
【００１５】
止め具８５の詳細を図４に示し、偏平な筒状の本体８６内の中央に楔体８７が設けられ、絞り紐８４の端部８４１，８４２がその両側を通過している。楔体８７は板材を成形したもので、先細の先端８７１が本体８６内に挿入され、楔体８７の中間部８７２は基端８７３方向へ漸次幅広となってその両側面は鋸歯状凹凸を形成したテーパ面８７ａとなっている。楔体８７の基端８７３部は幅広の掴み部となっている。楔体８７の先端８７１部板面にはガイド凸部８７４が形成されており、このガイド凸部８７４は本体８６の内壁中央に上下方向へ形成された下端閉鎖のガイド溝８６１内に位置している。袋体８の下端開口を閉鎖する場合には、楔体８７をガイド溝８６１に沿って図４の鎖線で示すように本体８６外へ抜き出し、絞り紐８４の両端部８４１，８４２を引いてそのリング形状を小さくし、下端開口部８３（図１）を絞って閉鎖する。その後、楔体８７を本体８６内へ押し込み、テーパ面８７ａでその両側の絞り紐端部８４１，８４２を押圧して、絞り紐８４の戻りを規制しロック状態とする。
【００１６】
このような構造の収容具１を使用する場合には、操作ハンドル７６により各歯車７３〜７５，７７を介してボールネジ７１を回転させ、トラベルナット５３およびこれと一体の内筒５を下降させる。内筒５に一体に設けられたワイヤ係止体５１が下降すると（図１の矢印）、ワイヤ６で支持された支持腕４がその基端４１結合部を中心に下方への回動を開始する（図１の矢印）。ワイヤ係止体５１が図１の鎖線で示す下端位置に至ると、各支持腕４は大きく下方へ傾斜し（鎖線で示す）、これに伴って袋体８の上端開口および全体の径が小さくすぼまる。この状態で吊り金具７８をクレーン車Ｖ（図５）のフックＶ１に係止して、図５に示すように、袋体８を開口部Ｍ１を経てマンホールＭ内へ入れる。続いて、操作ハンドル７６を逆転させて内筒５とワイヤ係止体５１を図１に示す位置まで上昇させると支持腕４は上方へ回動して水平姿勢に展開する。これにより、図６に示すように、袋体８の上端開口および袋体８全体が十分大きく円形に拡げられる。その後、袋体８の上端がマンホールＭの頂壁に近接するまで収容具１全体を引き上げてマンホールＭの開口部Ｍ１を袋体８の上端開口で覆う（図７）。この状態でマンホール開口部Ｍ１の補修作業を行えば、この時生じる破砕物Ｄは全て上端開口を経て袋体８内へ収容される。
【００１７】
この後、操作ハンドル７６でワイヤ係止体５１を再び下降させると支持腕４が下方へ回動して図８に示すように袋体８がすぼめられる。この時、袋体８はすぼまりつつ全体として下降するからその内部に収納された破砕物Ｄの位置は低くなる。したがって、拡げられた袋体８の容積の大部分に破砕物Ｄを収納しても、袋体８がすぼまる際に破砕物Ｄが支持体３（図１）等と干渉するおそれはない。これにより、袋体８の容積を有効に使用して十分な量の破砕物Ｄを収容することができる。この間のワイヤ係止体５１、すなわち内筒５の移動は外筒２内でのみ行われ、外筒２外の下方へ進出することはないから、袋体８内の破砕物Ｄと内筒５が干渉することもない。
【００１８】
破砕物Ｄを収容してすぼめた袋体８は開口部Ｍ１を通してマンホールＭ外へ吊り上げられ、クレーン車Ｖの荷台Ｖ２上へ移送される（図９）。ここで止め具８５の楔体８７（図４）を本体８６外へ抜き出し下端開口８３を開放すると、破砕物Ｄは袋体８内から荷台Ｖ２上へ排出される。なお、収容具１を使用しない場合には、これをフックＶ１から外し、ワイヤ６を弛ませつつ支持脚４を外筒２に沿う位置まで図１の上方へ回動させておけば、収容具１全体をコンパクトに収納保管しておくことができる。
【００１９】
【発明の効果】
以上のように、本発明の破砕物収容具によれば、袋体の容積を有効に利用して十分な破砕物を収容することができる。
【図面の簡単な説明】
【図１】本発明の一実施形態を示す破砕物収容具の全体垂直断面図である。
【図２】図１のII−II線に沿った水平断面図である。
【図３】絞り紐の全体斜視図である。
【図４】絞り紐止め具の斜視図である。
【図５】破砕物収容具の使用状態を示す部分断面側面図である。
【図６】破砕物収容具の使用状態を示す部分断面側面図である。
【図７】破砕物収容具の使用状態を示す部分断面側面図である。
【図８】破砕物収容具の使用状態を示す部分断面側面図である。
【図９】破砕物収容具の使用状態を示す部分断面側面図である。
【符号の説明】
１…破砕物収容具、２…外筒、３…支持体、４…支持腕、４１…基端、４３…先端、５…内筒、６…ワイヤ、７１…ボールネジ、７２…ギヤボックス、７３，７４…傘歯車、７５，７７…円形歯車、７６…操作ハンドル、７８…吊り輪、８…袋体、８１…開口周縁、８３…下端開口部。
【図１】
0004027101.tif 000002
【図２】
0004027101.tif 000003
【図３】
0004027101.tif 000004
【図４】
0004027101.tif 000005
【図５】
0004027101.tif 000006
【図６】
0004027101.tif 000007
【図７】
0004027101.tif 000008
【図８】
0004027101.tif 000009
【図９】
0004027101.tif 000010